(57)【要約】【課題】縦型ブラインドにおいて、ルーバーを簡単に所望の高さに設定することができ、且つルーバーが設定した高さ位置からずれることなく、また、その設定し直しも簡単に行うことができるようにする。【解決手段】ルーバー１４の下端にバランスウエイト２０が吊下支持され、バランスウエイト２０は、ウエイト２２と、ウエイト２２を収納するウエイトカバー２４とからなる。ウエイト２２は、ルーバー１４を挟着する前後の挟着面２２ａ、２２ｂを有し、該前後の挟着面２２ａ、２２ｂは互いに異なる形状からなる。前後の挟着面２２ａ、２２ｂにルーバー１４を適当な挟着長さだけ挟着して、ルーバー１４の高さ調整を行う。前後の挟着面２２ａ、２２ｂが異なる形状からなるために、ルーバー１４の挟着長さを簡単に目視することができ、ルーバー１４の長さ調整を簡単に且つ作業性良く行うことができる。【選択図】　図４
2004137674.tif 000002
【特許請求の範囲】
【請求項１】
ヘッドレール（１０）内を移動可能な複数のキャリア（１２）の各々からルーバー（１４）が吊下支持され、ルーバー（１４）の下端にバランスウエイト（２０）が吊下支持された縦型ブラインドにおいて、
バランスウエイト（２０）は、ウエイト（２２、３２、４２、５２）と、ウエイト（２２、３２、４２、５２）を収納するウエイトカバー（２４、３４）とからなり、ウエイト（２２）はルーバー（１４）を挟着する前後の挟着面（２２ａ、３２ａ、４２ａ、５２ａ、２２ｂ、３２ｂ、４２ｂ、５２ｂ）を有し、該前後の挟着面（２２ａ、３２ａ、４２ａ、５２ａ、２２ｂ、３２ｂ、４２ｂ、５２ｂ）は互いに異なる形状からなることを特徴とする縦型ブラインド。
【請求項２】
前記前後の挟着面（２２ａ、３２ａ、４２ａ、５２ａ、２２ｂ、３２ｂ、４２ｂ、５２ｂ）は、その幅が互いに異なることを特徴とする請求項１記載の縦型ブラインド。
【請求項３】
前記前後の挟着面（２２ａ、３２ａ、４２ａ、５２ａ、２２ｂ、３２ｂ、４２ｂ、５２ｂ）の重なり合わない非重合面には、目盛り（２２ｃ、３２ｃ、４２ｃ、５２ｃ）が形成されることを特徴とする請求項１または２記載の縦型ブラインド。
【請求項４】
前記ルーバー（１４）の下端部は、ウエイト（２２、３２、４２、５２）に挟着されて、ウエイト（２２、３２、４２、５２）の回りに巻かれた後に、ウエイト（２２、３２、４２、５２）と共にウエイトカバー（２４、３４）内に収納されることを特徴とする請求項１ないし３のいずれか１項に記載の縦型ブラインド。
【発明の詳細な説明】
【０００１】
【発明の属する技術分野】
本発明は、縦型ブラインドに関し、特に、ルーバーの高さ調整を簡単に行うことができる縦型ブラインドに関する。
【０００２】
【従来の技術】
従来、縦型ブラインドは、ヘッドレール内を移動可能な複数のキャリアの各々からルーバーが吊下支持され、ルーバーの下端にバランスウエイトが吊下支持されている。バランスウエイトは、ルーバーが風等によるバタツキや跳ね上がりを防止するために、ルーバーの下端に設けられる。
【０００３】
このような縦型ブラインドにおいては、ルーバーの長さが簡単に調整できるようになっていることが望ましい場合がある。特に、傾斜窓に取り付けられるような傾斜タイプのものは、その傾斜窓の傾斜角度に応じて各ルーバーの長さが異なるため、出荷された製品と製品発注時に記した実測値との間に若干の誤差があった場合等、ルーバー下端の長さが不揃いになってしまう可能性があり、現場においてルーバーの高さを簡単に調整できることが望ましい。
【０００４】
このようにルーバーの高さを簡単に調整できる縦型ブラインドとしては、バランスウエイトが合成樹脂製のケース及び鉄製のウエイトから構成され、ケースを開いた状態で、ルーバーの下端及びウエイトが位置決めされて、ケースを閉じることによってルーバーを挟着して保持する構成をしたものがある（例えば、特許文献１参照。）。即ち、ケース内に係止されるウエイトには両面テープが貼り付けられると共に目盛りが設定されており、ケースを開いた状態で、ルーバーをウエイトの目盛りを見ながら両面テープでウエイトに対して仮止めした後、ケースを閉じてケースによってルーバーを挟着し、ケースの外側にルーバーを巻いた状態でバランスウエイトをルーバーの下端に吊下支持している。
【０００５】
また、他の縦型ブラインドとしては、バランスウエイトが下枠とウエイト板とから構成され、下枠の下方から下枠を通過したルーバーの下端を引出し、該引き出されたルーバーの下端を、ウエイト板に設けられたスリットを挿通させてウエイト板に設けられた目盛りに合わせた後、ウエイト板を回してその回りにルーバーを巻いて、巻いた状態で、これらのウエイト板とルーバーの下端を下枠の中へと引上げて、下枠内で、ウエイト板とルーバーの下端との巻きを保持することで、バランスウエイトをルーバーの下端に吊下支持しているものもある（例えば、特許文献２参照。）。
【０００６】
【特許文献１】
特開平１０−１８４２４２号公報
【特許文献２】
実開昭５７−１３９５９２号公報
【０００７】
【発明が解決しようとする課題】
しかしながら、上記特許文献１の構成のものは、ルーバーをウエイトに仮止めするべく両面テープを使用しているために、高さ調整のやり直しをする必要が出た場合には、一度仮止めしたルーバーを剥がさなければならず、粘着力の強い場合には、ルーバーを剥がすことが困難である。また、剥がすことができたとしても、再度の使用または経年変化によりその粘着力が弱まり、従って、仮止め力が低下して、ルーバーがウエイトに対して移動するおそれがある。よって、ルーバーを調整した通りの高さに維持することが困難であるという問題がある。さらには、特許文献１の構成は、ウエイトカバーの回りをルーバーで被覆するタイプのものしか適用することができず、よって、ウエイトカバーの構成が限定されるという問題もある。
【０００８】
また、特許文献２の構成のものも、ルーバーをウエイト板に形成されたスリットに通しているものの、ルーバーがこのスリットを移動することを阻止するための手段が何ら設けられていないために、ルーバーがウエイト板に対して移動するおそれがある。よって、ルーバーを調整した通りの高さに維持することが困難であるという問題がある。
【０００９】
本発明は、かかる課題に鑑みなされたもので、その目的は、ルーバーが設定した高さ位置からずれることなく、また、ルーバーを簡単に所望の高さに設定することができると共に、その設定し直しも簡単に行うことができる縦型ブラインドを提供することである。
【００１０】
【課題を解決するための手段】
前述した目的を達成するために、本発明は、ヘッドレール内を移動可能な複数のキャリアの各々からルーバーが吊下支持され、ルーバーの下端にバランスウエイトが吊下支持された縦型ブラインドにおいて、
バランスウエイトは、ウエイトと、ウエイトを収納するウエイトカバーとからなり、ウエイトはルーバーを挟着する前後の挟着面を有し、該前後の挟着面は互いに異なる形状からなることを特徴とする。
【００１１】
ルーバーの高さの調整を行うには、ルーバーの下端を、適当な高さ相当長さ分だけウエイトの前後の挟着面に挟む。この挟着を行う際に、前後の挟着面が異なる形状からなるために、ルーバーの挟着長さを目視することができ、ルーバーの長さ調整を簡単に且つ作業性良く行うことができる。ルーバーの下端を前後の挟着面に挟むために、ルーバーがウエイトから位置ズレすることなく、ルーバーを調整した通りの高さに維持することができ、また、やり直しを何度でも行うことができる。
【００１２】
また、請求項２記載の発明は、請求項１記載のものにおいて、前後の挟着面は、その幅が互いに異なることを特徴とする。前後の挟着面の幅が異なることによって、前後の挟着面の重なり合わない非重合面は、高さ方向に延びることになり、その高さ方向に沿って、ルーバーの挟着長さを目視しながら高さ調整することができる。
【００１３】
また、請求項３記載の発明は、請求項１または２記載のものにおいて、前後の挟着面の重なり合わない非重合面には、目盛りが形成されることを特徴とする。目盛りを目安にして、ルーバーの挟着長さを調整することができ、ルーバーの高さ調整を簡単に行うことができる。
【００１４】
また、請求項４記載の発明は、請求項１ないし３のいずれか１項に記載のものにおいて、前記ルーバーの下端部は、ウエイトに挟着されて、ウエイトの回りに巻かれた後に、ウエイトと共にウエイトカバー内に収納されることを特徴とする。ルーバーの下端をウエイトに挟着させた後、さらにルーバーをウエイトの回りに巻くことにより、ルーバーがウエイトからの位置ズレをより確実に防止することができる。
【００１５】
【発明の実施の形態】
以下、図面を用いて本発明の実施の形態を説明する。
【００１６】
図１は、本発明の実施形態に係る縦型ブラインドを表す正面図である。縦型ブラインドは、窓枠等に固定されるヘッドレール１０を有しており、ヘッドレール１０の長手方向をスライド可能に複数のキャリア１２が配列されている。各キャリア１２には、フック１３を介してルーバー１４が吊下支持される。キャリア１２がヘッドレール１０内において移動することで、ルーバー１４がヘッドレール１０の全幅にわたって広がる展張状態と、ヘッドレール１０の一端に畳み込まれる状態とに変化することができるようになっている。
【００１７】
この各ルーバー１４の下端には、ウエイト２２とウエイト２２を収納可能なウエイトカバー２４とからなるバランスウエイト２０が吊下支持されている。ウエイト２２は重量を持たせるために金属材料から構成されるとよく、一方のウエイトカバー２４は成形が容易な合成樹脂材料から構成されるとよいが、これに限るものではなく、ウエイト２２及びウエイトカバー２４それぞれ任意の材料から構成することが可能である。
【００１８】
ウエイト２２は、前挟着面２２ａと後挟着面２２ｂとから構成され、その材料の持つ弾性により、前挟着面２２ａが後挟着面２２ｂの方へと付勢されており、後挟着面２２ｂが前挟着面２２ａの方へと付勢されており、この前挟着面２２ａと後挟着面２２ｂとの間でルーバー１４の下端を挟着可能となっている。この前挟着面２２ａと後挟着面２２ｂは、一枚の板状部材が前後で折り返された一体品で構成されるとよいが、そのルーバー１４を挟着する挟着面の形状は、異なる形状となっており、２つの挟着面が重なり合わない非重合面２２ｃが形成されている。つまり、前側または後側のいずれかから見たときに、この手前側に位置する挟着面のみならず、奥側に位置する挟着面の一部にある非重合面２２ｃが必ず見えるようになっている。図示の例では、前挟着面２２ａの幅が後挟着面２２ｂの幅よりも小さくなっており、この幅の相違により、前側から見たときに、前挟着面２２ａの両側から後挟着面２２ｂの両側にある非重合面２２ｃが目視できるようになっている。
【００１９】
非重合面２２ｃには、高さ方向に刻まれた目盛り２２ｄが設けられている。
【００２０】
また、前挟着面２２ａまたは後挟着面２２ｂのいずれかには、他方の面へと突出する凸部２２ｅが形成されており、これにより、２つの面でのルーバー１４の挟着を確実にしている。
【００２１】
ウエイトカバー２４は、その上端にルーバー１４の下端部が挿通するスリット２４ａが形成され、その下端は開口部２４ｂとなっている。スリット２４ａは、ルーバー１４が少なくとも１枚は挿通できるが、ウエイト２２は、挿通することができない程度のスリット幅となっている。また、ウエイトカバー２４の下端内側の前後面に突起２４ｃが形成され、ウエイトカバー２４内に挿入されたウエイト２２の脱落を防止する。
【００２２】
以上のように構成される縦型ブラインドにおいて、そのルーバー１４の下端へのバランスウエイト２０の取り付ける手順、及びルーバー１４の高さ調整をする手順について説明する。
【００２３】
まず、ルーバー１４の下端部をウエイトカバー２４のスリット２４ａから通して開口部２４ｂから引き出す。そして、ルーバー１４をウエイト２２の上から前挟着面２２ａと後挟着面２２ｂとの間に挿入して（図４（ａ））、目盛り２２ｄを目安にして、ルーバー１４の下端を適当な長さ量、２つの面の間で挟着させる（図４（ｂ−１）または図４（ｂ−２））。このルーバー１４の挟着される高さ方向の長さを調整することにより、ルーバー１４の高さを調整することができる。非重合面２２ｃ及びこの非重合面２２ｃに形成された目盛り２２ｄによって、どの程度、ルーバー１４を挟着させたのかが一目で分かり、簡単に作業性良く位置の調整をすることができる。また、前挟着面２２ａと後挟着面２２ｂによる挟着により、ルーバー１４とウエイト２２との連結が確保されるので、ルーバーを調整した通りの高さに維持することができ位置ズレを防止することができる。また、ルーバー１４の高さが所望通りではないときには、挟着作業をやり直すことにより、ウエイト２２の材料の持つ弾性によって何度でもやり直しを行うことができる。
【００２４】
次に、ウエイト２２を一回転させて、ルーバー１４でウエイト２２の周りを巻回した後（図４（ｃ））、この巻きをウエイトカバー２４の開口２４ｂからその内部へと挿入させると（図４（ｄ））、スリット２４ａによって、このルーバー１４の下端とウエイト２２による巻きが係止されて、ウエイトカバー２４とルーバー１４の連結が確保される。こうして、ルーバー１４の下端にバランスウエイト２０が吊下支持される。
【００２５】
次に、図５は、本発明の第２実施形態による縦型ブラインドのバランスウエイトを表す図４相当図である。図において、同一の部品は同一の符号を付し、その説明を省略している。この例では、ウエイト３２が、前挟着面３２ａと後挟着面３２ｂとから構成され、前挟着面３２ａは、２つに分離された後挟着面３２ｂの間に配置されており、前挟着面３２ａと後挟着面３２ｂとが全く重なり合っていない例であり、よって、後挟着面３２ｂ全体が非重合面３２ｃとなっている例である。そして、前挟着面３２ａは後側の方へと押圧されており、後挟着面３２ｂは前側の方へと押圧されている。後挟着面３２ｂには、目盛り３２ｄが形成されているとよい。
【００２６】
以上のように構成されるウエイト３２においても、第１実施形態と同様の作用・効果が得られる。
【００２７】
本発明は、特許請求の範囲内で様々な変形が可能であり、上記実施形態以外の変形例の幾つかを図６〜図１０に示す。図６の例は、ウエイト４２が、後挟着面４２ｂと、該後挟着面４２ｂの片側から横方向に折り返された前挟着面４２ａとから構成され、その材料の持つ弾性により、前挟着面４２ａが後挟着面４２ｂの方へと付勢されており、後挟着面４２ｂが前挟着面４２ａの方へと付勢されており、この前挟着面４２ａと後挟着面４２ｂとの間でルーバー１４の下端を挟着可能となっている。この例の場合にも、前挟着面４２ａの幅が後挟着面４２ｂの幅よりも小さくなっており、この幅の相違により、前挟着面４２ａの折り返し部と反対側にある後挟着面４２ｂの非重合面４２ｃが目視できるようになっている。そして、この非重合面４２ｃには、高さ方向に刻まれた目盛り４２ｄが設けられている。
【００２８】
また、図７の例は、ウエイト５２が、後挟着面５２ｂと、該後挟着面５２ｂの両側から横方向に折り返された前挟着面５２ａとから構成され、その材料の持つ弾性により、前挟着面５２ａが後挟着面５２ｂの方へと付勢されており、後挟着面５２ｂが前挟着面５２ａの方へと付勢されており、この前挟着面５２ａと後挟着面５２ｂとの間でルーバー１４の下端を挟着可能となっている。この例の場合にも、前挟着面５２ａの幅が後挟着面５２ｂの幅よりも小さくなっており、この幅の相違により、両側の前挟着面５２ａの間にある後挟着面５２ｂの非重合面５２ｃが目視できるようになっている。そして、この非重合面５２ｃには、高さ方向に刻まれた目盛り５２ｄが設けられている。
【００２９】
また、図８の例は、第１実施形態のウエイト２２のさらなる変形例であり、前挟着面２２ａの中央部に切れ込みが形成され、該切れ込みに囲まれる部分が、後挟着面２２ｂの方へと切り起こされた切り起こし部２２ｆとなっており、この切り起こし部２２ｆにより、前挟着面２２ａと後挟着面２２ｂとの間の挟着力が強化されている点で、異なっている。また、図９の例も、第１実施形態のウエイト２２のさらなる変形例であり、前挟着面２２ａと後挟着面２２ｂの上端部にそれぞれ相手側の面に突出する折曲部２２ｇが形成されており、折曲部２２ｇにより、前挟着面２２ａと後挟着面２２ｂとの間の挟着力が強化されている点で、異なっている。
【００３０】
尚、以上の例では、ウエイトカバー２４の下端に設けられた開口部２４ｂからウエイト２２、３２及び該ウエイト２２、３２に挟着されたルーバー１４の下端を挿入する例について説明したが、これに限るものではなく、図１０に示したように、ウエイトカバー３４が、上部で開閉可能となり、ウエイトカバー３４を開いた状態でウエイト２２及び該ウエイト２２に挟着されたルーバー１４の下端を挿入した後、ウエイトカバー３４を閉じて、ウエイトカバー３４の上端からルーバー１４が挿通するさせるタイプのものであっても、同様に適用することができる。また、図示した以外に、ウエイトの回りにルーバーを巻回する代わりに、特許文献１で示されるようなウエイトカバーの回りにルーバーで被覆するタイプのウエイトカバーにも適用することができ、ウエイトカバーの構成に限定されることがない。
【００３１】
また、以上の実施形態によれば、ウエイト２２全体の幅をルーバー１４の幅とほぼ同様とすることができ、ウエイト２２の大型化を回避することができる。
【００３２】
【発明の効果】
以上説明したように本発明によれば、ルーバーの高さの調整を行うには、ルーバーの下端を適当な高さ相当長さ分だけウエイトの前後の挟着面に挟むために、ルーバーがウエイトから位置ズレすることなく、ルーバーを調整した通りの高さに維持することができ、また、やり直しを何度でも行うことができる。ルーバーの挟着を行う際に、前後の挟着面が異なる形状からなるために、ルーバーの挟着長さを簡単に目視することができ、ルーバーの長さ調整を簡単に且つ作業性良く行うことができる、といった優れた効果を有する。
【図面の簡単な説明】
【図１】本発明の縦型ブラインドの全体を表す正面図である。
【図２】バランスウエイトの分解斜視図である。
【図３】図２の３−３線に沿って見た断面図である。
【図４】（ａ）〜（ｅ）は、ルーバーの下端へのバランスウエイトの取り付ける手順、及びルーバーの高さ調整をする手順を表す斜視図である。
【図５】（ａ）〜（ｅ）は、第２実施形態のバランスウエイトのルーバーの下端へ取り付ける手順、及びルーバーの高さ調整をする手順を表す斜視図である。
【図６】本発明の変形例を表す斜視図である。
【図７】本発明の他の変形例を表す斜視図である。
【図８】本発明の他の変形例を表す斜視図である。
【図９】本発明の他の変形例を表す斜視図である。
【図１０】本発明の他の変形例を表す斜視図である。
【符号の説明】
１０　ヘッドレール
１２　キャリア
１４　ルーバー
２０　バランスウエイト
２２、３２、４２、５２　ウエイト
２２ａ、３２ａ、４２ａ、５２ａ　前挟着面
２２ｂ、３２ｂ、４２ｂ、５２ｂ　後挟着面
２２ｃ、３２ｃ、４２ｃ、５２ｃ　非重合面
２２ｄ、３２ｄ、４２ｄ、５２ｄ　目盛り
２４、３４　ウエイトカバー
【図１】
2004137674.tif 000003
【図２】
2004137674.tif 000004
【図３】
2004137674.tif 000005
【図４】
2004137674.tif 000006
【図５】
2004137674.tif 000007
【図６】
2004137674.tif 000008
【図７】
2004137674.tif 000009
【図８】
2004137674.tif 000010
【図９】
2004137674.tif 000011
【図１０】
2004137674.tif 000012